(57)【要約】【課題】本発明は、携帯電話及び携帯電話の制御方法に関し、特にインターネット等への接続機能を有する携帯電話に適用して、車両で使用する場合に、簡易な操作で携帯電話の機能を有効に利用することができるようにする。【解決手段】本発明は、車両への携帯を検出すると、自動的にアプリケーションプログラムを立ち上げて所定の情報を取得する。【選択図】        図１
2008078696.tif 000002
【特許請求の範囲】
【請求項１】
ユーザーの操作に応動して通話対象との間で音声データを送受する携帯電話において、
前記ユーザーの操作を受け付ける操作子と、
ネットワークに接続して種々のデータを送受するネットワーク用の通信部と、
前記操作子の操作に応動してアプリケーションプログラムを起動し、前記ネットワーク用の通信部を介して前記ネットワーク上に設けられたサーバーから種々の情報を取得する制御部とを有し、
前記制御部は、
車両への携帯を検出すると、前記アプリケーションプログラムを起動し、前記ネットワークに設けられたサーバーから所定の情報を取得する
ことを特徴とする携帯電話。
【請求項２】
車載装置との間で種々のデータを送受する車載装置用の通信部と、
前記車載装置用の通信部と前記車載装置との接続を検出する接続検出部とを有し、
前記制御部は、
前記接続検出部で前記車載装置用の通信部と前記車載装置との接続を検出することにより、前記車両への携帯を検出する
ことを特徴とする請求項１に記載の携帯電話。
【請求項３】
前記所定の情報が、車両の運転の際に留意する情報である
ことを特徴とする請求項１に記載の携帯電話。
【請求項４】
前記制御部は、
前記接続検出部で前記車載装置用の通信部と前記車載装置との接続が検出されると、前記車載装置に設けられた表示部でメニュー画面を表示すると共に、該メニュー画面に表示したメニューの選択を検出して、前記ユーザーの入力を受け付ける
ことを特徴とする請求項１に記載の携帯電話。
【請求項５】
前記制御部は、
前記接続検出部で前記車載装置用の通信部と前記車載装置との接続が検出されると、受信した電子メールの送信元と優先して通話するように設定する
ことを特徴とする請求項１に記載の携帯電話。
【請求項６】
ユーザーの操作に応動して通話対象との間で音声データを送受する携帯電話の制御方法において、
操作子の操作に応動してアプリケーションプログラムを起動してネットワークに接続し、前記ネットワーク上に設けられたサーバーから種々の情報を取得する第１の情報取得ステップと、
車両への携帯を検出すると、前記アプリケーションプログラムを起動し、前記ネットワーク上に設けられたサーバーから所定の情報を取得する第２の情報取得ステップとを有する
ことを特徴とする携帯電話の制御方法。
【発明の詳細な説明】
【技術分野】
【０００１】
本発明は、携帯電話及び携帯電話の制御方法に関し、特にインターネット等への接続機能を有する携帯電話に適用することができる。本発明は、車両への携帯を検出すると、自動的にアプリケーションプログラムを立ち上げて所定の情報を取得することにより、車両で使用する場合に、簡易な操作で携帯電話の機能を有効に利用することができるようにする。
【背景技術】
【０００２】
近年、携帯電話は、単に通話する機能に加えて、電子メールの送受信機能、携帯音楽プレイヤーの機能、インターネットの接続機能等、種々の機能が盛り込まれるようになっている。このような携帯電話を車両で使用する場合、従来、専らハンズフリーシステムにより、通話機能のみ利用することが勧められている。
【０００３】
この携帯電話に関して、特開２００６−４９９４２号公報には、車両に設けられた充電台に載置されると、自動的に待機モードに動作モードを切り換える構成が開示されている。
【０００４】
ところで車両を運転中に、携帯電話におけるインターネットの接続機能を使用して交通情報を取得したい場合がある。また同様にして天気予報の情報を取得したい場合がある。また電子メールに応答を返したい場合もある。このような場合に、携帯電話をいちいち操作して対応するアプリケーションプログラムを立ち上げていたのでは、操作が煩雑になる問題がある。
【特許文献１】特開２００６−４９９４２号公報
【発明の開示】
【発明が解決しようとする課題】
【０００５】
本発明は以上の点を考慮してなされたもので、車両で使用する場合に、簡易な操作で携帯電話の機能を有効に利用することができる携帯電話、携帯電話の制御方法及び携帯電話の制御方法のプログラムを提案しようとするものである。
【課題を解決するための手段】
【０００６】
上記の課題を解決するため請求項１の発明は、ユーザーの操作に応動して通話対象との間で音声データを送受する携帯電話に適用して、前記ユーザーの操作を受け付ける操作子と、ネットワークに接続して種々のデータを送受するネットワーク用の通信部と、前記操作子の操作に応動してアプリケーションプログラムを起動し、前記ネットワーク用の通信部を介して前記ネットワーク上に設けられたサーバーから種々の情報を取得する制御部とを有し、前記制御部は、車両への携帯を検出すると、前記アプリケーションプログラムを起動し、前記ネットワーク上に設けられたサーバーから所定の情報を取得する。
【０００７】
また請求項５の発明は、ユーザーの操作に応動して通話対象との間で音声データを送受する携帯電話の制御方法に適用して、操作子の操作に応動してアプリケーションプログラムを起動してネットワークに接続し、前記ネットワーク上に設けられたサーバーから種々の情報を取得する第１の情報取得ステップと、車両への携帯を検出すると、前記アプリケーションプログラムを起動し、前記ネットワーク上に設けられたサーバーから所定の情報を取得する第２の情報取得ステップとを有するようにする。
【０００８】
請求項１又は請求項５の構成によれば、車両に携帯した場合には、何ら操作子を操作することなく、アプリケーションプログラムが起動してネットワーク上のサーバーから所定の情報を取得することができる。従って車両で使用する場合に、簡易な操作で携帯電話の機能を有効に利用することができる。
【発明の効果】
【０００９】
本発明によれば、車両で使用する場合に、簡易な操作で携帯電話の機能を有効に利用することができる。
【発明を実施するための最良の形態】
【００１０】
以下、適宜図面を参照しながら本発明の実施例を詳述する。
【実施例１】
【００１１】
（１）実施例の構成
図１は、本発明の実施例に係る携帯電話システムを示すブロック図である。この携帯電話システム１は、車載装置２に接続されたクレードル３に携帯電話４をセットして構成される。
【００１２】
ここでこの車載装置２は、各種映像コンテンツ、音楽コンテンツをユーザーに提供するＡＶ機器である。この車載装置２において、ソース５は、コントローラ７の制御により、各種記録媒体に記録した映像コンテンツ、音楽コンテンツを再生して出力する。
【００１３】
表示部６は、例えば液晶表示パネルであり、ソース５から出力される映像コンテンツを表示する。またさらに表示部６は、コントローラ７の制御により動作を切り換え、コントローラ７から出力されるビデオデータを表示し、これによりこの車載装置２の各種メニュー画面、クレードル３に接続された外部機器から入力されるビデオデータを表示する。
【００１４】
スピーカ８は、図示しない音声信号処理回路を介して、ソース５から出力される映像コンテンツ、音楽コンテンツの音声を再生する。またさらにスピーカ８は、コントローラ７の制御により動作を切り換え、コントローラ７から出力される音声データを再生し、これによりクレードル３に接続された外部機器から入力される音声データを再生する。
【００１５】
マイク９は、ユーザーの音声を取得し、音声データをコントローラ７に出力する。タッチパネル１０は、表示部６の表示画面に設けられ、ユーザーの操作を検出してコントローラ７に通知する。クレードル３は、この車載装置２が搭載された車両のダッシュボード等に設けられ、携帯電話４が載置されると、この携帯電話４の載置を検出してコントローラ７に通知する。またコントローラ７の制御により、各種のデータを携帯電話４、コントローラ７との間で入出力する。
【００１６】
コントローラ７は、この車載装置２の動作を制御する演算処理手段であり、図示しない記録手段に記録されたプログラムの実行により各部の動作を制御する。なおこの車載装置２において、このコントローラ７のプログラムは、この車載装置２に事前にインストールされて提供されるものの、これに代えて光ディスク、磁気ディスク、メモリカード等の各種記録媒体に記録して提供するようにしてもよく、またインターネット等のネットワークを介したダウンロードにより提供するようにしてもよい。
【００１７】
コントローラ７は、このプログラムの実行により、この車載装置２の電源が立ち上げられると、表示部６にメニュー画面を表示する。またタッチパネル１０の操作を検出して、又は図示しないリモートコマンダによるカーソルの操作を検出して、このメニュー画面に表示したメニューの選択を検出し、各種映像コンテンツ、音楽コンテンツを表示部６、スピーカ８からユーザーに提供する。
【００１８】
これに対してクレードル３への携帯電話４の載置が検出されると、コントローラ７は、クレードル３を介してこの携帯電話４との間で接続を確立する。また続いて車載装置２を特定する機器のカテゴリー情報を携帯電話４に通知し、携帯電話４側で車載装置２に接続されたことを検出できるようにする。またこの車載装置２のメニュー画面を表示する場合に、このメニュー画面に外部機器のメニューを加えて表示し、この外部機器のメニューが選択された場合には、この外部機器のメニューの選択を携帯電話４に通知する。これによりこの携帯電話システム１では、この車載装置２で携帯電話４を選択できるようにする。
【００１９】
また携帯電話４の制御により、表示部６、スピーカ８の動作を切り換え、携帯電話４から出力されるビデオデータ及び音声データをユーザーに提供する。またこの場合に、タッチパネル１０の操作を検出すると、操作された位置を特定する位置情報を携帯電話４に通知する。これによりコントローラ７は、携帯電話４の各種メニュー画面、操作画面を表示してユーザーの操作を携帯電話４に通知し、携帯電話４のユーザーインターフェースとして機能する。また携帯電話４から出力される各種映像コンテンツ、音楽コンテンツをユーザーに提供する。
【００２０】
またコントローラ７は、携帯電話４の制御によりマイク９で取得した音声データを携帯電話４に出力すると共に、携帯電話４から出力される音声データをスピーカ８から出力し、これにより携帯電話４のハンドセットとして機能するように全体の動作を設定する。
【００２１】
これに対して携帯電話４は、通常の通話機能に加えて、電子メールの送受信機能、インターネットの接続機能、現在位置表示機能、地上波ディジタル放送の受信機能、各種コンテンツの再生機能等を有する携帯電話であり、通常の携帯電話と同一に、携帯して使用できるように構成される。
【００２２】
すなわち携帯電話４において、通信部１２は、コントローラ１３の制御により、通話対象との間で電話回線を接続した後、この通話対象、コントローラ１３との間で音声データを送受し、これによりこの携帯電話４は、所望の通話対象との間で通話できるように構成される。また通信部１２は、コントローラ１３の制御により情報ネットワークであるインターネットに接続し、このインターネット上に設けられたメールサーバー、ＷＥＢサーバーにアクセスして各種データを送受する。これにより携帯電話４は、電子メールを送受し、インターネットに接続して種々の情報を取得できるように構成される。また同様のコントローラ１３の制御により、地上波ディジタル放送を受信してビデオデータ、音声データ等を出力する。
【００２３】
マイク１４は、ユーザーの音声を取得して音声データを出力し、スピーカ１５は、コントローラ１３から出力される音声データを再生する。これによりこの携帯電話４では、通話に係る音声を入出力する。
【００２４】
表示部１７は、例えば液晶表示パネルにより形成され、コントローラ１３の制御により各種の画像を表示する。ハードディスク装置（ＨＤＤ）１８は、コントローラ１３の処理に必要な各種のデータ、音楽コンテンツ等を記録して保持する。またハードディスク装置２８は、コントローラ１３の処理に必要な各種アプリケーションプログラムを記録して保持する。
【００２５】
コントローラ１３は、この携帯電話４の動作を制御する演算処理手段であり、図示しないメモリに記録されたプログラムの実行により各部の操作を制御する。なおこの携帯電話４において、このコントローラ１３のプログラムは、この携帯電話４に事前にインストールされて提供されるものの、これに代えて光ディスク、磁気ディスク、メモリカード等の各種記録媒体に記録して提供するようにしてもよく、またインターネット等のネットワークを介したダウンロードにより提供するようにしてもよい。
【００２６】
すなわちコントローラ１３は、ユーザーによる操作子１６の操作に応動して通信部１２の動作を制御してユーザーの指示した通話対象との間で電話回線を確立し、マイク１４で取得した音声データを通話対象に送出し、また通話対象から得られる音声データをスピーカ１５で再生する。また通信部１２を介して着信が通知されると、この着信を映像及び又は音声によりユーザーに通知し、同様のユーザーの操作に応動して音声データを送受する。
【００２７】
また操作子１６の操作に応動して電子メールのアプリケーションプログラムを立ち上げ、電子メールの作成を受け付け、さらにはこの作成した電子メールを送信する。また電子メールの着信が通知されると、映像及び音声によりユーザーに通知し、操作子１６の操作に応動して電子メールのアプリケーションプログラムを立ち上げる。またこのアプリケーションプログラムの実行により、メールサーバーにアクセスして電子メールを取得し、取得した電子メールを表示部１７で表示する。
【００２８】
また操作子１６の操作によりユーザーが現在位置の表示を指示すると、現在位置を表示するアプリケーションプログラムを立ち上げ、通信部１２を介して対応するサーバーに接続する。また現在位置の検出に必要なデータをこのサーバーに送信し、現在位置のデータ、現在位置近傍の地図データを取得する。またこの取得した地図データを用いて現在位置近傍の地図を表示し、この地図上で現在位置を示すマークを表示する。またユーザーにより地図のみの表示が指示されると、同様の所定のサーバーに接続してユーザーの指定した地域の地図データを取得し、表示部１７で表示する。
【００２９】
またユーザーがスケジュールの取得を指示すると、対応するアプリケーションプログラムを立ち上げる。またこのアプリケーションプログラムの実行により、インターネットに接続し、自宅等に設けられたサーバーにアクセスしてスケジュールを取得する。またこの取得したスケジュールを表示部１７で表示し、操作子１６の操作に応動してスケジュールの変更を受け付け、このスケジュールの変更を自宅等に設けられたサーバーにアップロードする。
【００３０】
またユーザーがインターネット上の各種情報の取得を指示すると、対応するアプリケーションプログラムを立ち上げてインターネットに接続する。また対応するサーバーにアクセスし、このサーバーから天気予報、交通情報等の各種情報を取得し、表示部１７で表示する。またユーザーが音楽コンテンツのダウンロードを指示すると、同様にして対応するアプリケーションプログラムを立ち上げてインターネットに接続し、所定のサーバーから音楽コンテンツをダウンロードしてハードディスク装置２８に記録する。
【００３１】
またハードディスク装置２８に記録した音楽コンテンツの再生をユーザーが指示すると、対応するアプリケーションプログラムを立ち上げ、この音楽コンテンツを再生してスピーカ１５から出力する。
【００３２】
またユーザーが地上波ディジタル放送の受信を指示すると、対応するアプリケーションプログラムを立ち上げ、このアプリケーションプログラムの実行により通信部１２を制御して地上波ディジタル放送を受信する。また受信したビデオデータ及び音声データを表示部１７、スピーカ１５で再生する。またさらにはユーザーの操作に応動して電子番組表のデータを取得して表示部１７で表示する。
【００３３】
これに対してコントローラ１３は、この携帯電話４がクレードル３に載置されると、車載装置２との間で接続を確立する。また車載装置２からのカテゴリー情報の通知により、車載装置２への接続を検出し、これによりこの携帯電話４の車両への携帯を検出し、動作モードを車載モードに切り換える。
【００３４】
ここで車載モードは、車載時における携帯電話４の動作モードであり、表示部１７に代えて車載装置２の表示部６で各種のメニュー画面等を表示し、また操作子１６の操作に代えて、車載装置２から通知されるタッチパネル１０の操作を解析して種々に動作を切り換える動作モードである。この車載モードにおいて、携帯電話４は、車載装置２から供給される電源でバッテリを充電する。
【００３５】
この車載モードにおいて、コントローラ１３は、表示部１７の駆動を停止制御し、バッテリの消費を低減する。また自動的に所定のアプリケーションプログラムの動作を立ち上げ、このアプリケーションプログラムをバックグラウンドで実行する。ここでこの実施例では、このバックグラウンドで実行するアプリケーションプログラムに、現在位置を表示するアプリケーションプログラム、スケジュールを取得するアプリケーションプログラム、インターネットに接続するアプリケーションプログラム、地上波ディジタル放送を受信するアプリケーションプログラムが割り当てられる。
【００３６】
コントローラ１３は、車載モードに動作モードを切り換えると、これらアプリケーションプログラムをバックグランドで起動し、自宅のサーバーにアクセスしてスケジュールを取得し、また現在位置を検出する。またさらに所定のサーバーをアクセスして、現在位置周辺の交通情報、天気予報を取得し、さらに地上波ディジタル放送の電子番組表を取得する。なおここでこれらの情報のうち現在位置、交通情報、天気予報は、運転の際に留意すべき情報であると言え、これによりコントローラ１３は、車両で使用する場合、運転の際にすべき情報をバックグラウンドで取得する。
【００３７】
またコントローラ１３は、車載モードにおいて、これらのアプリケーションプログラムのうち、現在位置、交通情報、天気予報に関するアプリケーションプログラムについては、それぞれ一定の時間間隔で起動して対応する情報をバックグラウンドで取得する。これに対して電子番組表については、現在位置が一定距離以上変化した場合に、アプリケーションプログラムを立ち上げてバックグラウンドで取得し直す。
【００３８】
またコントローラ１３は、コントローラ７から外部機器のメニューの選択が通知されると、携帯電話４のメニュー画面を表示するビデオデータを車載装置２に出力し、この携帯電話４のメニュー画面を車載装置２の表示部６で表示する。またこのようにしてメニュー画面を表示して、車載装置２でタッチパネル１０が操作され、この操作された箇所の位置情報が車載装置２から通知されると、この通知された位置情報による座標を判定し、何れのメニューが操作されたか判定する。またこの判定結果により各部の動作を制御すると共に、必要に応じて対応するアプリケーションプログラムを立ち上げ、さらに車載装置２の表示を切り換える。これによりこの携帯電話４は、車載装置２のクレードル３に載置されると、車載装置２の入出力インターフェースを使用して種々に操作できるようになされている。
【００３９】
すなわち図２は、このインターフェースに係るコントローラ１３の処理手順を示すフローチャートである。コントローラ１３は、操作子１６の操作、車載装置２からの外部機器のメニューの選択通知、車載装置２からのタッチパネル１０の操作の通知により、この処理手順を開始してステップＳＰ１からステップＳＰ２に移る。ここでコントローラ７は、携帯電話４が車両に携帯されているか否か、すなわち現在の使用状況が車載装置２に接続された使用状況か否か判断する。ここで否定結果が得られると、コントローラ１３は、ステップＳＰ３に移り、この場合、操作子１６が操作された場合であることから、この操作子１６の操作に応動して各部の動作制御した後、ステップＳＰ４に移ってこの処理手順を終了する。
【００４０】
これに対してステップＳＰ２で肯定結果が得られると、コントローラ１３は、ステップＳＰ２からステップＳＰ５に移る。ここでコントローラ１３は、ユーザーの操作に対応するように、車載装置２の表示部１７で表示するビデオデータを生成し直して車載装置２に出力する。より具体的に、車載装置２からの外部機器のメニューの選択が通知された場合、携帯電話４で表示するメニュー画面を表示部６で表示するように、ビデオデータを生成して車載装置２に出力する。これに対して携帯電話４のメニュー画面を車載装置２で表示した状態で、車載装置２からのタッチパネル１０の操作が通知されると、このタッチパネル１０が操作された箇所の座標を判定して何れのメニューが選択されたか判定し、この判定結果に従って各部の動作を切り換え、さらには車載装置２の表示を切り換える。
【００４１】
このようにしてコントローラ１３は、車載装置２の表示部６で所望するメニューを表示すると、続くステップＳＰ６において、操作子１６の操作、車載装置２からの通知を検出し、ステップＳＰ４に移ってこの処理手順を終了する。なおステップＳＰ６における操作の検出により、コントローラ１３は、この場合、さらにこの図２又は後述する図３の処理手順を開始することになり、これにより表示部１７で表示する各種のメニューを車載装置２で表示して、このメニュー画面の階層を順次切り換え、さらにアプリケーションプログラムを立ち上げて各種の操作を受け付ける。なおこのように階層を切り換える場合は、例えばアプリケーションを種類毎にグループ化して表示したメニューをユーザーが選択した場合に、各アプリケーションのメニューを表示する場合等である。
【００４２】
これに対して図３は、図２の処理手順の実行により何れかのアプリケーションプログラムが選択された場合の処理手順を示すフローチャートである。コントローラ１３は、この処理手順を開始すると、ステップＳＰ１１からステップＳＰ１２に移り、現在の使用状況が車載装置２に接続された使用状況か否か判断する。ここで否定結果が得られると、コントローラ１３は、ステップＳＰ１３に移り、この場合、操作子１６が操作された場合であることから、この操作子１６の操作に応動して各部を制御した後、ステップＳＰ１４に移ってこの処理手順を終了する。
【００４３】
これに対してステップＳＰ１２で肯定結果が得られると、コントローラ１３は、ステップＳＰ１２からステップＳＰ１５に移る。ここでコントローラ１３は、車載装置２からの通知に対応するアプリケーションプログラムを起動する。すなわちユーザーが現在位置の表示を指示した場合、現在位置を検出するアプリケーションプログラムを起動する。これに対してユーザーが地上波ディジタル放送の受信を指示した場合、地上波ディジタル放送のアプリケーションプログラムを立ち上げる。
【００４４】
続いてコントローラ１３は、ステップＳＰ１６に移り、起動を指示したアプリケーションプログラムの起動の完了を待機する。また続くステップＳＰ１７で、このアプリケーションプログラムによるビデオデータを車載装置２に出力し、表示部１７で表示する映像、画像を車載装置２の表示部６で表示し、ステップＳＰ１４に移ってこの処理手順を終了する。なおこのユーザーの選択に係るアプリケーションプログラムが音声ガイドを出力する場合、音楽コンテンツを再生するアプリケーションプログラムの場合、地上波ディジタル放送を受信するアプリケーションプログラムの場合等にあっては、ステップＳＰ１７において、ビデオデータと共に音声データを車載装置２に出力し、車載装置２のスピーカ８でこれら音声データを再生する。
【００４５】
これにより例えばユーザーが現在位置の表示を指示した場合、現在位置を検出するアプリケーションプログラムの直前のバックグラウンドの実行で取得した現在位置のデータ、地図データに基づいて、車載装置２の表示部６で現在位置及び現在位置近傍の地図を表示する。またその後、現在位置の情報を逐次取得し直して表示を更新する。またユーザーが地上波ディジタル放送を指示した場合、地上波ディジタル放送のアプリケーションプログラムにより、地上波ディジタル放送を受信し、受信したビデオデータ及び音声データを車載装置２から出力する。このときユーザーのタッチパネル１０の操作に応動して、この地上波ディジタル放送のアプリケーションプログラムの直前のバックグラウンドの実行で取得した電子番組表を表示部６で表示する。また交通情報、天気予報の表示をユーザーが指示した場合、インターネットに接続するアプリケーションプログラムにより、交通情報、天気予報を車載装置２の表示部６で表示する。なおこの場合も、このインターネットに接続するアプリケーションプログラムは、起動直後、直前のバックグラウンドの実行で取得した交通情報、天気予報をユーザーに提供し、その後、インターネットに接続して取得した交通情報、天気予報をユーザーに提供する。またユーザーが音楽コンテンツの再生を指示した場合、ハードディスク装置２８に記録した音楽コンテンツを再生して車載装置２からユーザーに提供する。
【００４６】
これに対してクレードル３に載置された状態で、通話の着信が通信部１２で検出されると、コントローラ１３は、クレードル３に載置されていない場合と同様にして、着信をユーザーに通知する。なおこの場合、音声ガイドで着信を通知してもよく、着信音、着信の音声ガイド等を車載装置２側から出力して通知するようにしてもよい。また車載装置２にビデオデータを出力し、通話開始を指示するメニューを表示部６で表示する。またタッチパネル１０の操作が車載装置２から通知されると、通知された位置情報を判定して通話開始を指示するメニューが選択されたか否か判定する。またこのメニューが選択された場合には、通信部１２を制御して通話対象との間で電話回線を確立し、この通話対象との間で音声データを送受する。コントローラ１３は、この場合、携帯電話４のハンドセットとして動作するように車載装置２の機能を切り換え、車載装置２のマイク９で取得した音声データを通話対象に送出し、また通話対象から取得した音声データを車載装置２のスピーカ８から出力する。
【００４７】
またクレードル３に載置された状態で、電子メールの着信が通信部１２で検出されると、コントローラ１３は、電子メールのアプリケーションプログラムを立ち上げ、メールサーバーをアクセスして着信が通知された電子メールを取得する。またクレードル３に載置されていない場合と同様にして、この電子メールの着信をユーザーに通知する。なおこの場合も、音声ガイドで着信を通知してもよく、着信音、着信の音声ガイド等を車載装置２側から出力するようにしてもよい。またこのアプリケーションプログラムにより、車載装置２にビデオデータを出力し、電子メールの読み上げを指示するメニューを表示部６で表示する。ここで一定時間経過してもメニューの選択、さらにはタッチパネル１０の操作を検出できない場合、コントローラ１３は、受信した電子メールをハードディスク装置２８に保存した後、このアプリケーションプログラムの動作を立ち下げる。
【００４８】
これに対してタッチパネル１０の操作が車載装置２から通知されると、通知された位置情報を判定し、この電子メールの読み上げを指示するメニューが選択されたか否か判定する。またこのメニューが選択された場合には、このアプリケーションプログラムにより、取得した電子メールの内容を解析して音声データを合成し、この音声データを車載装置２のスピーカ８から出力する。これによりこの場合、携帯電話４は、電子メールを読み上げてユーザーに通知する。
【００４９】
また電子メールの読み上げが終了すると、返信するか否かのメニューを車載装置２の表示部６で表示し、ユーザーが返信のメニューを選択すると、この電子メールの送信元の電話番号を電話帳から検出する。またこの検出した電話番号による架電を通信部１２に指示し、この電子メールの送信元との間で電話回線を確立する。またこの場合も、車載装置２のマイク９、スピーカ８を用いたハンドセットにより通話対象との間で音声データを送受し、通話の終了により回線を切断する。
【００５０】
これに対してユーザーが返信を指示しない場合、コントローラ１３は、この電子メールの着信、電子メールの読み上げの履歴を記録に残し、この電子メールのアプリケーションプログラムを立ち下げる。
【００５１】
これに対して車載装置２で表示したメニュー画面の操作により、ユーザーが電話による通話を指示すると、電話帳を車載装置２の表示部６で表示して通話対象の選択を受け付ける。またコントローラ１３は、通信部１２を制御してユーザーが選択した通話対象との間で電話回線を確立し、この場合も、車載装置２のマイク９、スピーカ８を用いたハンドセットにより通話対象との間で音声データを送受する。
【００５２】
このときコントローラ１３は、電子メールの履歴を検索し、内容を読み上げたものの、返信していない電子メールが存在するか否か判定する。またこのような電子メールが存在する場合、電話帳により電話番号の一覧を表示する際に、このような電子メールの存在をユーザーに通知し、この電子メールに対する応答の有無をユーザーに確認する。なおコントローラ１３は、事前の設定により、例えば現在から５分以内、１時間以内、２４時間以内との範囲で、この確認を促す過去の電子メールの範囲の設定を受け付ける。これによりこの場合、携帯電話４は、受信した電子メールの送信元を優先して選択可能に、電話番号の一覧を表示する。
【００５３】
ここでこの返信していない電子メールへの返信がユーザーにより指示されると、コントローラ１３は、電子メールを読み上げた直後の、通話による返信の場合と同様にして、この電子メールの送信元との間で電話回線を確立し、ハンズフリーシステムにより音声データを送受する。これに対してこのような返信を指示しない場合には、ユーザーの指示した通話対象との間で電話回線を接続して音声データを送受する。
【００５４】
これにより図４に示すように、コントローラ１３は、クレードルに載置されている場合と、載置されていない場合とで動作を切り換えて、通話に関する処理を実行する。すなわちコントローラ１３は、操作子１６の操作、車載装置２からの外部機器のメニューの選択の通知、車載装置２からのタッチパネル１０の操作の通知により、ユーザーより通話が指示された場合、この処理手順を開始してステップＳＰ２１からステップＳＰ２２に移る。ここでコントローラ１３は、現在の使用状況が車載装置２に接続された使用状況か否か判断し、ここで否定結果が得られると、ステップＳＰ２２からステップＳＰ２３に移り、操作子１６の操作に応動して通話対象を特定した後、この通話対象との間で回線を確立して音声データを送受する。また通話の完了によりステップＳＰ２３からステップＳＰ２４に移ってこの処理手順を終了する。
【００５５】
これに対してステップＳＰ２２で肯定結果が得られると、コントローラ１３は、ステップＳＰ２２からステップＳＰ２５に移り、ユーザーによる架電の操作を待機する。またユーザーが架電を指示すると、ステップＳＰ２６に移る。ここでコントローラ１３は、電子メールの応答の架電の場合には、上述したように内容を読み上げた電子メールの送信元、又は内容を読み上げたものの、返信していない電子メールの送信元を通話対象に設定する。またこのような電子メールへの応答で無い場合、電話帳を車載装置２の表示部６で表示して通話対象の選択を受け付ける。
【００５６】
また続くステップＳＰ２７でこの通話対象との間で電話回線を確立して音声データを送受する。また通話の完了によりステップＳＰ２３からステップＳＰ２４に移ってこの処理手順を終了する。
【００５７】
（２）実施例の動作
以上の構成において、この携帯電話システム１の車載装置２では、表示部６でメニュー画面を表示し、タッチパネル１０のユーザーによる操作を検出してメニュー画面で表示したメニューの選択を受け付ける。またこの選択操作に応動して映像コンテンツ、音楽コンテンツを再生してユーザーに提供する。
【００５８】
これに対して携帯電話４では、操作子１６の操作に応動して、電話回線により通話し、電子メールの送受し、さらにはインターネットに接続して交通情報、天気予報、スケジュール等の情報を取得する。また地上波ディジタル放送を受信してユーザーに提供し、さらには音楽コンテンツをダウンロードしてハードディスク装置２８に記録し、またこの音楽コンテンツをユーザーに提供する。
【００５９】
この携帯電話システム１では、この携帯電話４を車載装置２のクレードル３に載置すると、携帯電話４と車載装置２との間で接続が確立され、車載装置２から携帯電話４へのカテゴリー情報の通知により、携帯電話４で車載装置２に接続されたことが検出される。これによりこの携帯電話システム１では、携帯電話４で車両への携帯が検出される。
【００６０】
またこれにより携帯電話４では、所定のアプリケーションプログラムが自動的に立ち上げられ、情報ネットワークであるインターネット上に設けられたサーバーから種々の有意義な情報が取得される。また一定時間経過する毎に、同様にしてアプリケーションプログラムが立ち上げられ、この有意義な情報が取得し直される。
【００６１】
これによりこの携帯電話４では、携帯電話４の操作子１６をわざわざ操作しなくても、自動的に、有意義な情報を取得することができ、車両で使用する場合に、簡易な操作で携帯電話の機能を有効に利用することができる。また一定時間の経過により自動的にアプリケーションプログラムを立ち上げて情報を取得し直すことにより、常に最新の情報を取得して保持して、必要に応じてユーザーに提供することができ、ユーザーの使い勝手を向上することができる。
【００６２】
より具体的に携帯電話４では、これらアプリケーションプログラムの自動的な起動により現在位置、交通情報、天気予報の情報を取得し、これらの情報による現在位置、交通情報等の情報にあっては、運転中に留意すべき情報であると言え、これらの情報は、車両の運転中に、ユーザーがリクエストする可能性の高い情報であると言える。これによりこの携帯電話システム１では、ユーザーの要求によりこれら事前に取得して保持した情報をユーザーに提供してユーザーの利便を図ることができる。
【００６３】
またこの実施例では、これらアプリケーションプログラムの自動的な起動によりスケジュールの情報、地上波ディジタル放送の電子番組表の情報を取得し、これらの情報にあっても、ユーザーがリクエストする可能性の高い情報であると言える。これによりこの携帯電話システム１では、ユーザーの要求によりこれら事前に取得して保持した情報をユーザーに提供して、この場合もユーザーの利便を図ることができる。
【００６４】
また車載装置２では、携帯電話４の接続が検出されると、メニュー画面に外部機器のメニューが追加して表示され、この外部機器のメニューの選択が携帯電話４に通知される。この通知により携帯電話４では、携帯電話４の表示部１７で表示するメニュー画面を表示するように、ビデオデータを生成して車載装置２に出力し、車載装置２では、このビデオデータによる映像が表示部６で表示される。またタッチパネル１０が操作されると、この操作箇所の位置情報が携帯電話４に通知され、この位置情報の判定により何れのメニューが選択されたか、携帯電話４で検出される。またメニュー画面等の操作に係るガイド音声にあっても、同様にして車載装置２に音声データを出力して車載装置２から出力される。
【００６５】
これにより携帯電話４は、何ら操作子１６を操作することなく、車載装置２のユーザーインターフェースを使用して各種ユーザーの操作を受け付け、これによっても車両で使用する場合に、簡易な操作で携帯電話の機能を有効に利用することができる。
【００６６】
これに対して電話の着信が通知されると、車載装置２の表示部等を介してユーザーに通知し、ユーザーの指示により電話回線を接続する。また車載装置２のスピーカ８、マイク９を使用したハンドセットにより通話対象との間で音声データを送受する。
【００６７】
また電子メールの着信が通知されると、同様にしてユーザーに通知し、自動的にアプリケーションプログラムを立ち上げて電子メールを取得する。またユーザーによる車載装置２の操作に応動してこの電子メールの内容を読み上げてユーザーに通知する。
【００６８】
このようにして電子メールを読み上げてユーザーが返信のメニューを操作すると、この携帯電話システム１では、この電子メールの送信元との間で電話回線が確立され、車載装置２のマイク９及びスピーカ８を使用したハンドセットにより音声データを送受する。これによりこの携帯電話システム１では、運転中であっても、簡易な操作により電子メールに返信することができる。
【００６９】
これに対して電子メールを読み上げた後において、車載装置２に表示したメニューの操作により、ユーザーが改めて通話を指示した場合、電話帳を表示して通話対象の選択が受け付けられる。このとき読み上げたものの、返信していない電子メールが存在する場合、このような電子メールの存在をユーザーに通知し、この電子メールに対する応答の有無をユーザーに確認する。これにより携帯電話４では、受信した電子メールの送信元と優先して通話するように設定され、これによってもわざわざ操作子１６を操作しなくても、電子メールに応答することができ、使い勝手を向上することができる。
【００７０】
（３）実施例の効果
以上の構成によれば、車両への携帯を検出すると、自動的にアプリケーションプログラムを立ち上げて所定の情報を取得することにより、車両で使用する場合に、簡易な操作で携帯電話の機能を有効に利用することができる。
【００７１】
また携帯電話の通信部の車載装置への接続を検出して車両への携帯を検出することにより、簡易かつ確実に車両への携帯を検出して、車両で使用する場合に、簡易な操作で携帯電話の機能を有効に利用することができる。
【００７２】
またこのようにして取得する情報が、車両の運転の際に留意する情報であることにより、ユーザーの要求の可能性の高い有意義な情報を事前に取得して保持し、ユーザーの利便を図ることができる。
【００７３】
また車載装置の表示部でメニュー画面を表示し、このメニュー画面におけるメニューの選択操作に応動して動作を切り換えることにより、何ら操作子を操作することなく、車載装置２のユーザーインターフェースを有効に利用して携帯電話を操作することができ、これによってもユーザーの使い勝手を向上することができる。
【００７４】
また受信した電子メールの送信元を優先して通話するように設定することにより、受信した電子メールに簡易に応答することができ、これによっても使い勝手を向上することができる。
【実施例２】
【００７５】
なお上述の実施例においては、車載装置への接続を検出して車両への携帯を検出する場合について述べたが、本発明はこれに限らず、現在位置の判定により車両への携帯を検出するようにしてもよく、またスケジュールにより車両への携帯を検出するようにしてもよい。なお現在位置を判定して車両への携帯を検出する場合には、例えば現在位置が駐車場であった後、車両の移動速度で現在位置が変化している場合、車両への携帯と判定することができる。
【００７６】
また上述の実施例においては、携帯電話の表示部で表示するメニュー等を車載装置側で表示する場合について述べたが、本発明はこれに限らず、携帯電話４の操作子を表示して操作を受け付けるようにしてもよい。
【００７７】
また上述の実施例においては、車載装置のタッチパネルの操作により携帯電話の操作を受け付ける場合について述べたが、本発明はこれに限らず、車載装置のマイクを利用した音声入力より操作を受け付けるようにしてもよい。
【００７８】
また上述の実施例においては、有線により車載装置に携帯電話を接続する場合について述べたが、本発明はこれに限らず、無線通信により接続する場合にも広く適用することができる。
【産業上の利用可能性】
【００７９】
本発明は、インターネット等への接続機能を有する携帯電話に適用することができる。
【図面の簡単な説明】
【００８０】
【図１】本発明の実施例の携帯電話システムを示すブロック図である。
【図２】図１の携帯電話システムにおける携帯電話のメニュー選択に係る処理手順を示すフローチャートである。
【図３】図１の携帯電話システムにおける携帯電話のアプリケーションプログラムの起動処理に係る処理手順を示すフローチャートである。
【図４】図１の携帯電話システムにおける携帯電話の架電時の処理手順を示すフローチャートである。
【符号の説明】
【００８１】
１……携帯電話システム、２……車載装置２……クレードル、４……携帯電話、６、１７……表示部、７、１３……コントローラ、８、１４……マイク、９、１５……スピーカ、１０……タッチパネル、１２……通信部、１６……操作子
【図１】
2008078696.tif 000003
【図２】
2008078696.tif 000004
【図３】
2008078696.tif 000005
【図４】
2008078696.tif 000006